(57)【要約】タッチ制御表示パネルは、アレイ基板を含み、前記アレイ基板は、基板と、複数のサブピクセルユニットを含むピクセルユニットと、タッチ制御信号線とを含む。前記ピクセルユニット及び前記タッチ制御信号線は、両方とも前記基板上に位置する。前記タッチ制御信号線の前記基板上における正投影は、前記基板上の一サブピクセルユニットの開口領域内に位置する。前記一サブピクセルユニットは、第１電極と、第２電極とを含むことができ、前記第１電極及び前記第２電極の片方又は両方は、少なくとも一つの隙間を有し、前記少なくとも一つの隙間の各々はその隣接する二つの部分の間に設置される。前記タッチ制御信号線の前記基板上における正投影は、前記第１電極及び前記第２電極の片方又は両方における一隙間の前記基板上における正投影内に含まれることができる。
2020529640.tif 000002
【特許請求の範囲】
【請求項１】
アレイ基板を含むタッチ制御表示パネルであって、
前記アレイ基板は、
基板と、
前記基板上に位置し、複数のサブピクセルユニットを含むピクセルユニットと、
前記基板上に位置するタッチ制御信号線と
を含み、
前記タッチ制御信号線の前記基板上における正投影は、前記基板上の前記複数のサブピクセルユニットのうちの一つの開口領域に位置することを特徴とするタッチ制御表示パネル。
【請求項２】
前記複数のサブピクセルユニットのうちの一つは、前記基板上に位置する第１電極と、第２電極とを含み、
前記第１電極及び前記第２電極のうち少なくとも一つは、少なくとも一つの隙間を含み、前記少なくとも一つの隙間の各々は、前記第１電極及び前記第２電極のうち少なくとも一方の各々の隣接する二つの部分の間に設置され、
前記タッチ制御信号線の前記基板上における正投影は、前記第１電極及び前記第２電極のうち少なくとも一方の片方又は両方における少なくとも一つの隙間のうちの一つの、前記基板上における正投影内に含まれることを特徴とする請求項１に記載のタッチ制御表示パネル。
【請求項３】
前記第１電極は、少なくとも一つの第１隙間を含み、前記少なくとも一つの第１隙間の各々は、前記第１電極の隣接する二つの第１部分の間に設置され、
前記タッチ制御信号線の前記基板上における正投影は、前記第１電極における少なくとも一つの第１隙間のうちの一つの、前記基板上における正投影内に含まれ、且つ前記第２電極の正投影と重なることを特徴とする請求項２に記載のタッチ制御表示パネル。
【請求項４】
前記第２電極は、少なくとも一つの第２隙間を含み、前記少なくとも一つの第２隙間の各々は、前記第２電極の隣接する二つの第２部分間に設置され、
前記タッチ制御信号線の前記基板上における正投影は、前記第２電極における少なくとも一つの第２隙間のうちの一つの、前記基板上における正投影内に含まれ、且つ前記第１電極の正投影と重なることを特徴とする請求項２に記載のタッチ制御表示パネル。
【請求項５】
前記第１電極は、少なくとも一つの第１隙間を含み、前記少なくとも一つの第１隙間の各々は、前記第１電極の隣接する二つの第１部分の間に設置され、
前記第２電極は、少なくとも一つの第２隙間を含み、前記少なくとも一つの第２隙間の各々は、前記第２電極の隣接する二つの第２部分の間に設置され、
前記タッチ制御信号線の前記基板上における正投影は、前記第１電極における少なくとも一つの第１隙間のうちの一つの、前記基板上における正投影及び前記第２電極における少なくとも一つの第２隙間のうちの一つの、前記基板上における正投影の両方内に含まれることを特徴とする請求項２に記載のタッチ制御表示パネル。
【請求項６】
前記第１電極は、共通電極として機能するように構成され、
前記第２電極は、ピクセル電極として機能するように構成され、
前記タッチ制御信号線は、前記第１電極に電気的に接続されることを特徴とする請求項２に記載のタッチ制御表示パネル。
【請求項７】
前記第１電極は、タッチ制御段階においてタッチ制御電極として構成され、表示段階において共通電極として構成されることを特徴とする請求項６に記載のタッチ制御表示パネル。
【請求項８】
前記複数のサブピクセルユニットのうち一つは、前記タッチ制御信号線と前記第１電極の間に挟まれた絶縁層を更に含み、前記タッチ制御信号線は、前記絶縁層におけるビアを介して前記第１電極に電気的に接続されることを特徴とする請求項５に記載のタッチ制御表示パネル。
【請求項９】
前記絶縁層は、パッシベーション層又は有機樹脂層を含むことを特徴とする請求項８に記載のタッチ制御表示パネル。
【請求項１０】
前記タッチ制御信号線は、前記基板に垂直な方向に沿って、前記第１電極の前記第２電極から遠い側に位置することを特徴とする請求項２に記載のタッチ制御表示パネル。
【請求項１１】
前記基板に垂直な方向に沿って、前記第１電極と前記第２電極の間に位置するパッシベーション層を更に含むことを特徴とする請求項１０に記載のタッチ制御表示パネル。
【請求項１２】
前記タッチ制御信号線は、前記第１電極と前記第２電極の間に位置することを特徴とする請求項２に記載のタッチ制御表示パネル。
【請求項１３】
第１パッシベーション層と、第２パッシベーション層とを更に含み、
前記基板に垂直な方向に沿って、
前記第１パッシベーション層は、前記タッチ制御信号線と前記第２電極の間に位置し、
前記第２パッシベーション層は、前記タッチ制御信号線と前記第１電極の間に位置することを特徴とする請求項１２に記載のタッチ制御表示パネル。
【請求項１４】
第２電極は、ブロック状又はストリップ状であることを特徴とする請求項１に記載のタッチ制御表示パネル。
【請求項１５】
前記基板上に位置する複数のデータ線と複数のゲート線とを更に含み、前記複数のデータ線と前記複数のゲート線は、互い違いであり、
前記タッチ制御信号線は、前記複数のサブピクセルユニットのうちの一つを画定する隣接する二つのデータ線の各々までの距離が実質的に同じであることを特徴とする請求項１〜１４のいずれか１項に記載のタッチ制御表示パネル。
【請求項１６】
前記タッチ制御信号線と前記複数のデータ線とは、実質的に同一層に位置し、且つ実質的に同一組成を有することを特徴とする請求項１５に記載のタッチ制御表示パネル。
【請求項１７】
前記基板上に位置する複数のデータ線と複数のゲート線とを更に含み、前記複数のデータ線と複数のゲート線は互い違いであり、
前記タッチ制御信号線は、前記複数のサブピクセルユニットのうちの一つを画定する隣接する二つのゲート線の各々までの距離が実質的に同じであることを特徴とする請求項１〜１４のいずれか１項に記載のタッチ制御表示パネル。
【請求項１８】
前記タッチ制御信号線と前記複数のゲート線とは、実質的に同一層に位置し、且つ実質的に同一組成を有することを特徴とする請求項１７に記載のタッチ制御表示パネル。
【請求項１９】
前記アレイ基板の前記基板から遠い側に位置する封入基板を更に含むことを特徴とする請求項１〜１８のいずれか１項に記載のタッチ制御表示パネル。
【請求項２０】
前記封入基板の前記基板に近い側に位置するブラックマトリクスを更に含み、
前記ブラックマトリクスは、複数の開口を有し、
前記ブラックマトリクスは、前記複数のサブピクセルユニットの各々の正投影が、前記ブラックマトリクスの各開口の前記基板上における正投影内に含まれるように構成されることを特徴とする請求項１９に記載のタッチ制御表示パネル。
【発明の詳細な説明】
【技術分野】
【０００１】
（関連出願の相互参照）
本出願は、２０１７年８月９日に中国特許庁に提出された中国特許出願２０１７１０６７５３０３．７の優先権を主張し、その全ての内容が援用により本出願に取り込まれる。
【０００２】
本開示は、概して表示技術に関し、より具体的には、タッチ制御表示技術分野に関し、とりわけピクセルユニット、アレイ基板及びタッチ制御表示パネルに関する。
【背景技術】
【０００３】
表示技術の急速な発展と共に、タッチパネルは徐々に人々の生活に浸透している。インセル型タッチ制御表示パネル技術は、製造プロセスが表示パネルの製造プロセスと良好な互換性を有すること、製造プロセスが比較的簡単なこと及製造コストが低いこと等の利点を有するため、現在、インセル型タッチ制御表示パネル技術は、タッチ制御表示パネル技術における主導的な地位を獲得している。
【０００４】
上記の利点により、インセル型タッチ制御表示パネル技術の開発は、大きなビジネスポテンシャルを持っている。
【発明の概要】
【０００５】
本開示は、タッチ制御表示パネルを提供する。
【０００６】
前記タッチ制御表示パネルは、アレイ基板を含み、前記アレイ基板は、基板と、ピクセルユニットと、タッチ制御信号線とを含む。前記ピクセルユニット及び前記タッチ制御信号線は、両方とも前記基板上に位置する。前記ピクセルユニットは、複数のサブピクセルユニットを含む。前記タッチ制御信号線の前記基板上における正投影が、前記基板上の前記複数のサブピクセルユニットのうちの一つの開口領域に位置するように構成される。
【０００７】
ここで、前記複数のサブピクセルユニットのうちの一つは、前記基板上に位置する第１電極と、第２電極とを含むことができる。前記第１電極及び前記第２電極のうち少なくとも一つは、少なくとも一つの隙間を含み、各隙間は、前記第１電極及び前記第２電極のうち少なくとも一方の各々の隣接する二つの部分の間に設置される。さらに、前記タッチ制御信号線の前記基板上における正投影が、前記第１電極及び前記第２電極のうち少なくとも一方の片方又は両方における少なくとも一つの隙間のうちの一つの、前記基板上における正投影内に含まれるように構成される。
【０００８】
幾つかの実施例によれば、前記第１電極は、少なくとも一つの第１隙間を含む。各第１隙間は、前記第１電極の隣接する二つの第１部分の間に設置され、前記タッチ制御信号線の前記基板上における正投影が、前記第１電極における少なくとも一つの第１隙間のうちの一つの、前記基板上における正投影内に含まれ、且つ前記第２電極の正投影と重なるように構成される。
【０００９】
別の幾つかの実施例によれば、前記第２電極は、少なくとも一つの第２隙間を含む。各第２隙間は、前記第２電極の隣接する二つの第２部分間に設置され、前記タッチ制御信号線の前記基板上における正投影が、前記第２電極における少なくとも一つの第２隙間ののうちの一つの、前記基板上における正投影内に含まれ、且つ前記第１電極の正投影と重なるように構成される。
【００１０】
また他の幾つかの実施例によれば、前記第１電極は、少なくとも一つの第１隙間を含み、各第１隙間は、前記第１電極の隣接する二つの第１部分の間に設置され、前記第２電極は、少なくとも一つの第２隙間を含み、各第２隙間は、前記第２電極の隣接する二つの第２部分の間に設置される。前記タッチ制御信号線の前記基板上における正投影が、前記第１電極における少なくとも一つの第１隙間のうちの一つの、前記基板上における正投影及び前記第２電極における少なくとも一つの第２隙間のうちの一つの、前記基板上における正投影の両方内に含まれるように構成される。
【００１１】
前記タッチ制御表示パネルの幾つかの実施例によれば、前記第１電極は、共通電極として機能するように構成され、前記第２電極は、ピクセル電極として機能するように構成され、前記タッチ制御信号線は、前記第１電極に電気的に接続される。ここで、前記第１電極は、タッチ制御段階においてタッチ制御電極として構成され、表示段階において共通電極として構成されることができる。
【００１２】
前記タッチ制御表示パネルにおいて、前記複数のサブピクセルユニットのうち一つは、前記タッチ制御信号線と前記第１電極の間に挟まれた絶縁層を更に含むことができる。前記タッチ制御信号線は、前記絶縁層におけるビアを介して前記第１電極に電気的に接続されることができる。ここで、前記絶縁層は、パッシベーション層又は有機樹脂層を含むことができる。
【００１３】
前記タッチ制御表示パネルの幾つかの実施例によれば、前記タッチ制御信号線は、前記基板に垂直な方向に沿って、前記第１電極の前記第２電極から遠い側に設置される。前記タッチ制御表示パネルは、前記基板に垂直な方向に沿って、前記第１電極と前記第２電極の間に位置するパッシベーション層を更に含むことができる。
【００１４】
前記タッチ制御表示パネルの別の幾つかの実施例によれば、前記タッチ制御信号線は、前記第１電極と前記第２電極の間に設置される。前記タッチ制御表示パネルは、第１パッシベーション層と、第２パッシベーション層とを更に含むことができる。前記基板に垂直な方向に沿って、前記第１パッシベーション層は、前記タッチ制御信号線と前記第２電極の間に位置し、前記第２パッシベーション層は、前記タッチ制御信号線と前記第１電極の間に位置する。
【００１５】
上記のようなタッチ制御表示パネルにおいて、前記第２電極は、ブロック状又はストリップ状であることができる。
【００１６】
幾つかの実施例によれば、前記タッチ制御表示パネルは、前記基板上に位置する複数のデータ線と複数のゲート線とを更に含み、前記複数のデータ線と前記複数のゲート線は互い違いである。前記タッチ制御信号線は、前記複数のサブピクセルユニットのうちの一つを画定する隣接する二つのデータ線の各々までの距離が実質的に同じであるように構成される。
【００１７】
ここで、前記タッチ制御信号線と前記複数のデータ線とは、実質的に同一層に位置し、且つ実質的に同一組成を有することができる。
【００１８】
別の幾つかの実施例によれば、前記タッチ制御表示パネルは、前記基板上に位置する複数のデータ線と複数のゲート線とを更に含み、前記複数のデータ線と前記複数のゲート線は互い違いである。前記タッチ制御信号線は、前記複数のサブピクセルユニットのうちの一つを定義する隣接する二つのゲート線の各々までの距離が実質的に同じであるように構成される。
【００１９】
ここで、前記タッチ制御信号線と前記複数のゲート線とは、実質的に同一層に位置し、且つ実質的に同一組成を有することができる。
【００２０】
前記タッチ制御表示パネルは、前記アレイ基板の前記基板から遠い側に位置する封入基板(encasing substrate)を更に含むことができる。ここで、前記タッチ制御表示パネルは、前記封入基板の前記基板に近い側に設置されたブラックマトリクスを更に含むことができる。前記ブラックマトリクスは、複数の開口を有し、前記ブラックマトリクスは、前記複数のサブピクセルユニットの各々の正投影が、前記ブラックマトリクスの各開口の前記基板上における正投影内に含まれるように構成することができる。
【００２１】
本開示において提供される様々な実施例を明確に説明するために、以下は、実施例の記述に付随する図面である。
【００２２】
注意すべきことは、これらの図面は、単に例示の目的だけに使われるものとして解釈されるべきであり、これらの図面は、本開示の全部の実施例ではなく、ほんの一部の実施例を示すことができる。当業者にとって、以下に記述され且つこれらの図面に例示されるような構造に基づいた他の実施例は明白になるであろう。このように、これらの他の実施例は、本開示の範囲内に含まれると解釈されるべきである。
【図面の簡単な説明】
【００２３】
【図１Ａ】既存のタッチ制御表示技術に係るインセル型タッチ制御表示パネルにおけるピクセルユニットの上面図である。
【図１Ｂ】図１Ａに示すようなインセル型タッチ制御表示パネルのＡ−Ａ’方向に沿った断面図である。
【図２Ａ】本開示の幾つかの実施例に係るアレイ基板におけるピクセルユニットの上面図である。
【図２Ｂ】前記アレイ基板の一実施例に係る図２Ａに示すようなピクセルユニットのＡ−Ａ’方向に沿った断面図である。
【図２Ｃ】前記アレイ基板の別の実施例に係る図２Ａに示すようなピクセルユニットのＡ−Ａ’方向に沿った断面図である。
【図２Ｄ】前記アレイ基板のまた別の実施例に係る図２Ａに示すようなピクセルユニットのＡ−Ａ’方向に沿った断面図である。
【図２Ｅ】前記アレイ基板のまた別の実施例に係る図２Ａに示すようなピクセルユニットのＡ−Ａ’方向に沿った断面図である。
【図２Ｆ】本開示の幾つかの実施例に係る図２Ａに示すようなピクセルユニットのＢ−Ｂ’方向に沿った断面図である。
【図３Ａ】本開示の別の幾つかの実施例に係るアレイ基板におけるピクセルユニットの上面図である。
【図３Ｂ】前記アレイ基板の一実施例に係る図３Ａに示すようなピクセルユニットのＡ−Ａ’方向に沿った断面図である。
【図３Ｃ】前記アレイ基板の別の実施例に係る図３Ａに示すようなピクセルユニットのＡ−Ａ’方向に沿った断面図である。
【図３Ｄ】前記アレイ基板のまた別の実施例に係る図３Ａに示すようなピクセルユニットのＡ−Ａ’方向に沿った断面図である。
【図３Ｅ】前記アレイ基板のまた別の実施例に係る図３Ａに示すようなピクセルユニットのＡ−Ａ’方向に沿った断面図である。
【図３Ｆ】本開示の幾つかの実施例に係る図３Ａに示すようなピクセルユニットのＢ−Ｂ’方向に沿った断面図である。
【発明を実施するための形態】
【００２４】
実施例と組み合わせて、添付図面を参照しながら本開示の目的の達成、機能的特徴及び利点をさらに記述する。
【００２５】
以下、具体的な例を挙げて本開示の様々な実施例を記述し、当業者は本明細書に記述される内容から本開示の他の利点及び効果を容易に理解することができる。
【００２６】
明らかに、記述される実施例は、本開示における実施例の全部ではなく、ほんの一部である。本開示は、異なる特定の実施例を通じて実施及び適用されても良く、本明細書の様々な詳細は、本開示の精神を逸脱することなく、異なる視点及び応用に基づいて修正又は変更されても良い。
【００２７】
本開示における実施例に基づいて、創造的労働を行わないことを前提として当業者により取得される他のすべての実施例は、本開示の保護範囲内に属する。注意すべきことは、矛盾がないことを前提として、以下の実施例及び実施例における特徴は組み合わせることができる。
【００２８】
前述した従来のインセル型タッチ制御表示パネル技術には利点もあるが、本開示の出願人によって、該技術の弱点が観察された。
【００２９】
図１Ａ及び図１Ｂは、既存技術に係るインセル型タッチ制御表示パネルのピクセルユニットを示しており、図１Ａは、従来のアレイ基板のピクセルユニットの上面図であり、図１Ｂは、図１Ａに示すようなインセル型タッチ制御表示パネルのＡ−Ａ’線方向に沿った断面図である。インセル型タッチ制御表示パネルにおいて、各タッチ制御電極と各ピクセル共通電極は、通常共用電極であって、一般的に表示段階で共通電極として用いられ、タッチ制御段階でタッチ制御電極として用いられる。
【００３０】
図１Ａ及び図１Ｂに示すようなインセル型タッチ制御表示パネルのピクセル構造において、各タッチ制御信号線３（即ち、タッチパターン金属又はＴＰＭ）は、通常データ線５に隣接して設置され、且つデータ線５に実質的に平行になるように構成される。各タッチ制御信号線３及びそれに隣接するデータ線５は、両方ともブラックマトリクス６のパターンにより覆われる（即ち、タッチ制御信号線３及びデータ線５の、基板等の平面上における正投影は、ブラックマトリクス６のパターンの同一平面上における正投影により覆われる）。
【００３１】
上記のような従来のインセル型タッチ制御表示パネルにおいて、各タッチ制御信号線３は、インセル型タッチ制御表示パネルの表示段階において、電気的に接続されているピクセル共通電極に共通電圧信号を提供するように構成され、且つ前記インセル型タッチ制御表示パネルのタッチ制御段階において、電気的に接続されているタッチ制御電極に駆動信号を提供し、応答信号を受信するように構成される。
【００３２】
しかし、上記のような及び図１Ａ及び図１Ｂに示すような従来のインセル型タッチ制御表示パネルにおいて、各タッチ制御信号線３及びそれに対応する各データ線５を覆うように設置されるブラックマトリクス６のパターンは、一般的に比較的大きい幅を有し、インセル型タッチ制御表示パネルの各ピクセルユニットの開口率に悪影響を与える可能性があり、インセル型タッチ制御表示パネル全体の光透過率の低下をもたらす。
【００３３】
また、図１Ａ及び図１Ｂに示すような従来のインセル型タッチ制御表示パネルで示されるように、各タッチ制御信号線３は、通常それに隣接するデータ線５に近いので、タッチ制御信号線３とその隣接するデータ線５間の短絡のリスクがあり、製造プロセスにおけるタッチ制御表示パネルの収率が低下する可能性がある。
【００３４】
上記の従来のインセル型タッチ制御表示パネルの問題に鑑みて、本開示は、アレイ基板、前記アレイ基板を含むタッチ制御表示パネル及び前記タッチ制御表示パネルを有する表示装置を提供する。
【００３５】
図２Ａ〜２Ｆは、本開示の幾つかの実施例に係るアレイ基板を示す。
【００３６】
これらの図面に示すように、本開示のこれらの実施例に係るアレイ基板１は、複数のタッチ制御信号線３と、複数のゲート線４と、複数のデータ線５とを含む。複数のデータ線５と複数のゲート線４は、互いに交差するように設置されることで、複数のサブピクセルユニットを画定する。
【００３７】
ここで、各サブピクセルユニットは、実質的に、互い違いになっている隣接する二つのデータ線と隣接する二つのゲート線とにより画定される領域であり、即ち、隣接する二つのデータ線と隣接する二つのゲート線とにより形成される各領域の正投影は、実質的にサブピクセルユニットを画定する。例えば、図２Ｂに示すようなアレイ基板１において、一サブピクセルユニットが大きい方の破線のボックス１００で示されており、前記サブピクセルユニットの一側が、実質的に、隣接する二つのデータ線５の中心線間に位置する。同様に、前記サブピクセルユニットの前述の一側に垂直な前記サブピクセルユニットの別の側は、隣接する二つのゲート線４の中心線間に位置する（図示しない）。注意すべきことは、サブピクセルユニットのこのような画定は、本開示全般にわたって適用される。
【００３８】
複数のタッチ制御信号線３の各々は、前記サブピクセルユニットの開口領域内に設置される。具体的には、タッチ制御信号線３の各々は、各ピクセルユニットのサブピクセルユニットのいずれか一つの開口領域内に設置され（即ち、各タッチ制御信号線３の、前記アレイ基板のような平面上における正投影は、ピクセルユニットのサブピクセルユニットのうちの一つの開口領域の、同一平面上における正投影内に有る）、さらに複数のデータ線５のうちの一つに実質的に平行になるように設置される。
【００３９】
上記のようなアレイ基板１において、所定数のサブピクセルユニットが、ピクセルユニットを形成するように構成される。図２Ａに示すような例示的な例となるこの特定の実施例において、Ｒ（赤）、Ｇ（緑）及びＢ（青）の３つのサブピクセルユニットによりピクセルユニットを形成する。各タッチ制御信号線３は、各ピクセルユニットのうち一つのＲサブピクセルユニットの開口領域に設置される。
【００４０】
さらに、図２Ｂ〜２Ｆに示すように、タッチ制御表示パネルには、アレイ基板１に対向するように封入基板２が配置されていてもよい。ブラックマトリクス６のパターンは、封入基板２のアレイ基板１（図面で封入基板２の下に示される）に近い方の表面上に配置される。ブラックマトリクス６は、複数のゲート線４の各々及び複数のデータ線５の各々を覆うように構成される（即ち、複数のゲート線４の各々及び複数のデータ線５の各々の、前記アレイ基板のような平面上における正投影は、ブラックマトリクス６の同一平面上における正投影内にある）。
【００４１】
ブラックマトリクス６のパターンは、メッシュ状をなし、且つブラックマトリクス６のメッシュ構造の交雑するワイヤにより画定される複数の開口を含む。メッシュ状のブラックマトリクス６の複数の開口の各々は、前記サブピクセルユニットの一開口領域に対応する（即ち、ブラックマトリクス６の各開口の前記基板上における正投影は、サブピクセルユニットの各開口領域の前記基板上における正投影と重なる）。
【００４２】
ここで、並びに本開示全般にわたって、サブピクセルユニットの開口領域は、通常前記サブピクセルユニットのデータ線、ゲート線又は薄膜トランジスタ等のような部材を覆うブラックマトリクス６のパターンが存在する領域を除外した透明領域、又はより具体的には、光透過性領域として画定される。具体的には、図２Ｂに示すアレイ基板１における３つのサブピクセルユニットを有する一ピクセルユニットで示されるように、サブピクセルユニットの一開口領域が、小さい方の破線のボックス２００で示されている。従って、各開口領域は、実質的にブラックマトリクス６の隣接する二つのメッシュワイヤ間に位置する。
【００４３】
ここで、各タッチ制御信号線３が前記サブピクセルユニットの一開口領域に設置されているため、ブラックマトリクス６の前記基板上における正投影は、各タッチ制御信号線３の前記基板上における正投影を覆わない。
【００４４】
図１Ｂは、従来のタッチ制御表示パネルのアレイ基板におけるブラックマトリクス６、各タッチ制御信号線３、各データ線５の位置配置及びそれらの相対距離関係を示す。
【００４５】
図面に示すように、ピクセルユニットの幅はｐであり（即ち、Ｒ、Ｇ、Ｂの３つのサブピクセルユニットの幅の和はｐである）、ブラックマトリクス６の各タッチ制御信号線３を覆う各第１ワイヤの幅はｍｘであり、ブラックマトリクス６のいかなるタッチ制御信号線３も覆わない各第２ワイヤの幅はｍであり、各タッチ制御信号線３の幅はｗであり、各タッチ制御信号線３と近隣のデータ線５の間の距離はｓであり、各タッチ制御信号線３の近隣のデータ線５から遠い又は遠く離れた端と、ブラックマトリクス６の対応するワイヤの対応する端との間の距離はａであり、近隣のデータ線５の近隣のタッチ制御信号線３に近い又は近くなる端とブラックマトリクス６のワイヤの他端との間の距離は、ｂである。
【００４６】
図１Ｂに示すように、３つのサブピクセルユニットの開口領域の幅の和は、Ｗ１であり、ここで、Ｗ１は以下の式で表される。
Ｗ１＝ｐ−２ｍ−ｍｘ＝ｐ−２ｍ−（ａ＋ｂ＋ｗ＋ｓ）    （１）
【００４７】
図２Ｂは、本開示の幾つかの実施例に係るアレイ基板におけるブラックマトリクス６、各タッチ制御信号線３、各データ線５の位置配置及びそれらの相対距離関係を示す。
【００４８】
図２Ｂに示すように、ピクセルユニットの幅はｐであり、各タッチ制御信号線３の幅はｗである。各タッチ制御信号線３が前記サブピクセルユニットの開口領域に設置されているため、ブラックマトリクス６のワイヤは、各タッチ制御信号線３を覆わない。ブラックマトリクス６における全てのワイヤの幅は同一であり、いずれもｍである。
【００４９】
各タッチ制御信号線３は、光を透過させる金属ワイヤであるため、３つのサブピクセルユニットの開口領域の幅の和は、Ｗ２であり、ここで、Ｗ２は以下の式で表される。
Ｗ２＝ｐ−３ｍ−ｗ    （２）
【００５０】
式（１）と式（２）を組み合わせると、以下の式で表される。
Ｗ１−Ｗ２＝ｍ−（ａ＋ｂ＋ｓ）  （３）
【００５１】
通常、ａ＋ｂ≧ｍ、且つｓ＞０であるため、従って、以下の式で表される。
Ｗ１＜Ｗ２       （４）
【００５２】
言い換えれば、本文に記載されるアレイ基板のピクセルの開口領域の幅（即ち、Ｗ２）は、従来のタッチ制御表示パネルにおけるアレイ基板のピクセルの幅（即ち、Ｗ１）より大きい。
【００５３】
本開示に提供されるアレイ基板は、各タッチ制御信号線３をサブピクセルユニットの開口領域に設置することで、各タッチ制御信号線３がブラックマトリクス６のパターン（より具体的には、ブラックマトリクス６のワイヤ）により覆われず、言い換えれば、各タッチ制御信号線３のアレイ基板のような平面上における正投影は、開口領域内のブラックマトリクス６の同一平面上における正投影と重ならない。このように、ブラックマトリクス６の各ワイヤの幅を狭めることができ、従って、ピクセルユニットの開口率及び前記アレイ基板を含む前記タッチ制御表示パネル並びに前記タッチ制御表示パネルを含む表示装置の光透過率を向上させることができる。従って、表示装置の表示効果を改善することができる。
【００５４】
図２Ａに示すようなアレイ基板の幾つかの実施例によれば、各タッチ制御信号線３は、各サブピクセルユニットの開口領域の中央に設置される。言い換えれば、タッチ制御信号線３から、タッチ制御信号線３に直接隣接する二つのデータ線２までの距離は、実質的に等しい。
【００５５】
このように、各タッチ制御信号線３をサブピクセルユニットの開口領域の中央に構成することで、各タッチ制御信号線３とデータ線５の間の距離を最大限増加できる。その結果、タッチ制御信号線３とデータ線５間の短絡のリスクを低減でき、タッチ制御表示パネル製品の収率を向上させることができる。
【００５６】
また、各タッチ制御信号線３から、タッチ制御信号線３に直接隣接する二つのデータ線５までの距離が実質的に等しいため、二つのデータ線５の、近隣の２つのサブピクセルユニット内部のピクセル電極上の電圧への影響は実質的に同じである。その結果、近隣の２つのサブピクセルユニット間の表示効果の偏差を回避することができ、表示効果をさらに改善することができる。
【００５７】
図２Ｂ〜２Ｆに示すような本開示の幾つかの実施例によれば、アレイ基板１は、基板１１と、複数のゲート電極１２と、ゲート絶縁層１３と、複数のデータ線５と、複数の第１電極７と、複数の第２電極８と、第１パッシベーション層９と、複数のタッチ制御信号線３と、第２パッシベーション層１０とを含む。
【００５８】
複数のゲート電極１２と、ゲート絶縁層１３と、複数のデータ線５及び複数の第２電極８と、第１パッシベーション層９と、複数のタッチ制御信号線３と、第２パッシベーション層１０と、複数の第１電極７とは、基板１１上に順に配置される。
【００５９】
複数のゲート電極１２は、それぞれ一つのゲート線４に電気的に接続される。複数の第２電極８の各々は、ブロック状であり、複数の第１電極７の各々は、ストリップ状である。各第２電極８は、各サブピクセルユニットの開口領域に設置され（即ち、各第２電極８の前記基板上における正投影は、各サブピクセルユニットの開口領域の前記基板上における正投影内に含まれる）、且つピクセル電極として構成される。各第１電極７は、ストリップ状であり、且つ共通電極として構成される。
【００６０】
さらに図２Ｂ及び図２Ｆに示すように、アレイ基板のこれらの実施例によれば、複数のタッチ制御信号線３の各々は、アレイ基板１（より具体的には、アレイ基板１の基板１１）に垂直な方向に沿って複数の第１電極７と複数の第２電極８の間に設置される。
【００６１】
さらに、図２Ａ及び図２Ｆを参照すると、アレイ基板の該実施例によれば、各タッチ制御信号線３は、第２パッシベーション層１０に貫設されるビア１４を介して、各タッチ制御信号線３に対応する複数の第１電極７のうちの一つに電気的に接続される。
【００６２】
表示段階において、各タッチ制御信号線３は、それに対応する複数の第１電極７のうちの一つに共通電圧信号を提供するように構成され、これに応じて、該複数の第１電極７の一つは共通電極として機能する。
【００６３】
タッチ制御段階において、複数の第１電極７のうちの一つはタッチ制御電極として構成され、各タッチ制御信号線３は、複数の第１電極７（即ち、タッチ制御電極）のうちの一つにタッチ制御駆動信号を提供するように構成され、かつ、応答信号を受信するように構成される。
【００６４】
具体的には、本文に記載されるタッチ制御表示パネルのタッチ制御段階において、ユーザの指によるタッチ制御の際、指、及びタッチ制御表示パネルのタッチ制御領域（即ち、指がタッチ制御表示パネルをタッチする位置）内のアレイ基板１における複数の第１電極７のうちの一つ又は複数は、一つ又は複数のキャパシタを形成することができ、これにより、タッチ制御領域内の一つ又は複数の第１電極７の各々上の電圧は変更されるか又は変化する。タッチ制御領域の位置は、前記タッチ制御領域内の一つ又は複数の第１電極７の各々上の電圧の変化をテストすることにより決定することができる。
【００６５】
前記タッチ制御表示パネルの表示段階において、複数の第１電極７の各々と対応する第２電極８（即ち、基板上における正投影が複数の第１電極７の各々の前記基板上における正投影を覆う第２電極８）の間に電場が形成されて、アレイ基板１と封入基板２の間に設置された液晶層（図示しない）がツイストするように駆動することで、タッチ制御表示パネルの画像表示を実現する。
【００６６】
図２Ｅに示すようなアレイ基板の幾つかの実施例によれば、各タッチ制御信号線３のアレイ基板１の基板１１上における正投影は、対応する第１電極７のアレイ基板１の基板１１上における正投影及び対応する第２電極８のアレイ基板１の基板１１上における正投影の両方と重なるように構成することができる。
【００６７】
複数のタッチ制御信号線３の各々の電気抵抗を低減させて複数のタッチ制御信号線３の各々の駆動周波数を増やすために、複数のタッチ制御信号線３の各々は、各第２電極８及び／又はそれに対応する各第１電極７との特殊な位置関係を有するように構成することができる。
【００６８】
以下、図２Ｂ、図２Ｃ及び図２Ｄを参照して、前記アレイ基板の３つの異なる実施例に係る各タッチ制御信号線３の異なる構成、並びにその対応する第１電極７及び対応する第２電極８との位置関係を詳細に記述する。
【００６９】
図２Ｄに示すようなアレイ基板の第１実施例によれば、複数のタッチ制御信号線３、複数の第１電極７及び複数の第２電極８は、各タッチ制御信号線３が、各タッチ制御信号線３に対応する第２電極８が存在する位置には設置されていないが（即ち、各第２電極８は、タッチ制御信号線３に対応する領域で切断されている）、各タッチ制御信号線３に対応する第１電極７が存在する位置には依然として設置されるように構成される。
【００７０】
具体的には、図２Ｄに示すようなアレイ基板の該第１実施例において、各タッチ制御信号線３の基板１１上における正投影と対応する第１電極７の基板１１上における正投影とは、少なくとも部分的に重なるが、各タッチ制御信号線３の基板１１上における正投影は、対応する第２電極８の基板１１上における正投影とは重ならない（より具体的には、図面に示すように、各タッチ制御信号線３の基板１１上における正投影は、基板１１上の対応する第２電極８の隣接する二つの部分の間の隙間Ｇ１内に含まれる）。
【００７１】
図２Ｃに示すようなアレイ基板の第２実施例によれば、複数のタッチ制御信号線３、複数の第１電極７及び複数の第２電極８は、各タッチ制御信号線３が、各タッチ制御信号線３に対応する第１電極７が存在する位置には設置されないが、各タッチ制御信号線３に対応する第２電極８が存在する位置には依然として設置されるように構成される。
【００７２】
具体的には、図２Ｃに示すようなアレイ基板の該第２実施例において、各タッチ制御信号線３の基板１１上における正投影と対応する第１電極８の基板１１上における正投影とは、少なくとも部分的に重なるが、各タッチ制御信号線３の基板１１上における正投影は、対応する第１電極７の基板１１上における正投影とは重ならない（より具体的には、図面に示すように、各タッチ制御信号線３の基板１１上における正投影は、基板１１上の対応する第１電極７の隣接する二つの部分の間の隙間Ｇ２内に含まれる）。
【００７３】
図２Ｂに示すようなアレイ基板の第３実施例において、複数のタッチ制御信号線３、複数の第１電極７及び複数の第２電極８は、各タッチ制御信号線３が、各タッチ制御信号線３に対応する第１電極７が存在する位置に設置されず、さらに各タッチ制御信号線３に対応する第２電極８が存在する位置にも設置されないように構成される（即ち、各第２電極８は、タッチ制御信号線３に対応する領域で切断される）。
【００７４】
具体的には、図２Ｂに示すようなアレイ基板の第３実施例において、各第２電極８の基板１１上における正投影も、各第１電極７の基板１１上における正投影も、対応するタッチ制御信号線３の基板１１における正投影とは重ならない（より具体的には、図面に示すように、各タッチ制御信号線３の基板１１上における正投影は、基板１１上の対応する第２電極８の隣接する二つの部分の間の隙間Ｇ１及び基板１１上の対応する第１電極７の隣接する二つの部分の間の隙間Ｇ２の両方内に含まれる）。
【００７５】
注意すべきことは、前述のアレイ基板の３つの実施例（即ち、図２Ｄに示す第１実施例、図２Ｃに示す第２実施例及び図２Ｂに示す第３実施例）のうち、第３実施例において、各タッチ制御信号線３は、対応する第１電極７が存在する位置及び対応する第２電極８が存在する位置のどちらにも設置されていないため、第３実施例における複数のタッチ制御信号線３の各々は、電気抵抗が最も低い。
【００７６】
なお、各タッチ制御信号線３が、依然として（図２Ｄに示す第１実施例のように）対応する第１電極７が存在する位置又は（図２Ｃに示す第２実施例のように）対応する第２電極８が存在する位置に設置されているため、該２つの実施例のいずれか一つにおける複数のタッチ制御信号線３の各々の電気抵抗の低減効果は、第３実施例ほど良くない。
【００７７】
図３Ａ〜３Ｆは、本開示の別の幾つかの実施例に係るアレイ基板を示す。
【００７８】
上記の図２Ａ〜２Ｆに示すようなアレイ基板の実施例とは異なり、図３Ａ〜３Ｆに示すような実施例に係るアレイ基板は、有機樹脂層（ＯＲＧ）を含み、複数のタッチ制御信号線３と複数のデータ線５とは、実質的に同一層にあり且つ実質的に同一組成を有するように構成される。上記のようなこの後者の特徴により、図３Ａ〜３Ｆに示すようなアレイ基板の実施例において、複数のタッチ制御信号線３と複数のデータ線５とは、アレイ基板１の製造過程において、一回のパターニングプロセスにより形成することができる。
【００７９】
また、図３Ａ〜３Ｆに示すようなアレイ基板の実施例において、アレイ基板１（より具体的には、アレイ基板１の基板１１）に垂直な方向に沿って、複数のタッチ制御信号線３は、図２Ａ〜２Ｆに示すアレイ基板の実施例のように複数の第１電極７と複数の第２電極８の間に設置されるのではなく、有機樹脂層の複数の第１電極７から遠い（即ち、遠く離れる）側に設置される。
【００８０】
図３Ａ〜３Ｆに示すようなアレイ基板の実施例において、複数のタッチ制御信号線３と複数のデータ線５とは、実質的に同一層に構成され且つ実質的に同一組成を有し、且つ、有機樹脂層１５がアレイ基板１に更に設置される。より具体的には、有機樹脂層１５は、複数のタッチ制御信号線３及び複数のデータ線５の層の、封入基板２に近い（即ち、アレイ基板１の基板１１から遠い）側に設置される。
【００８１】
具体的には、図３Ａ〜３Ｆに示すような実施例において、アレイ基板は、アレイ基板１の基板１１上に順に又は逐次的に配置される複数のゲート電極１２と、ゲート絶縁層１３、上記の複数のタッチ制御信号線３及び複数のデータ線５の層と、上記の有機樹脂層１５と、複数の第１電極７と、第２パッシベーション層１０と、複数の第２電極８とを含む。
【００８２】
ここで、複数のゲート電極１２の各々は、複数のゲート線４のうちの一つに電気的に接続される。複数の第２電極８の各々は、ストリップ状であり、且つサブピクセルユニットの各々の開口領域に設置される（即ち、各第２電極８の基板１１上における正投影は、サブピクセルユニットの各々の開口領域の基板１１上における正投影内に含まれる）。各第２電極８は、本文に記載されるようなアレイ基板のこれら実施例におけるピクセル電極として構成することができる。複数の第１電極７の各々は、ブロック状であり、且つ本文に記載されるようなアレイ基板のこれら実施例における共通電極として機能するように構成することができる。
【００８３】
複数の第１電極７及び複数の第２電極８は、有機樹脂層１５の上記複数のタッチ制御信号線３及び複数のデータ線５の層から遠い側に設置される。言い換えれば、有機樹脂層１５は、複数のタッチ制御信号線３及び複数のデータ線５の層と複数の第１電極７及び複数の第２電極８との間に挟まれる。
【００８４】
図３Ｆに示すように、複数のタッチ制御信号線３の各々は、有機樹脂層１５に貫設されるビアを介して、対応する複数の第１電極７のうちの一つに電気的に接続される。
【００８５】
表示段階において、各タッチ制御信号線３は、対応する複数の第１電極７のうちの一つに共通電圧信号を提供するように構成され、これに応じて、複数の第１電極７のうちの一つは、共通電極として機能する。
【００８６】
タッチ制御段階において、複数の第１電極７のうちの一つは、タッチ制御電極として構成され、各タッチ制御信号線３は、複数の第１電極７（即ち、タッチ制御電極）のうちの一つにタッチ制御駆動信号を提供するように構成され、かつ、応答信号を受信するように構成される。
【００８７】
注意すべきことは、図３Ａ〜３Ｆに示され且つ本文に記載されるようなアレイ基板の実施例おける有機樹脂層１５は、図２Ａ〜２Ｆに示すようなアレイ基板の実施例における一つのパッシベーション層（即ち、第１パッシベーション層９）を置き換える。このような置き換えにより、図３Ａ〜３Ｆに示すようなアレイ基板の実施例は、図２Ａ〜２Ｆに示すようなアレイ基板の実施例に対して、技術的利点を有するようになる。
【００８８】
一つ目として、有機樹脂層１５（即ち、有機樹脂）における該組成は、通常該一つのパッシベーション層に比べて比較的低い誘電率を有し、有機樹脂層を採用する図３Ａ〜３Ｆに示され且つ本文に記載されるようなアレイ基板の実施例において、複数のタッチ制御信号線３と複数の第１電極７の間及び／又は複数のタッチ制御信号線３と複数の第２電極８の間で実質的に形成されるキャパシタは、第２パッシベーション層１０を採用する図２Ａ〜２Ｆに示す及び上記のようなアレイ基板の実施例に比べ、キャパシタンスが低減される。
【００８９】
二つ目として、有機樹脂層１５は、該一つのパッシベーション層に比べて比較的大きい厚さを有するように構成することができる。その結果、図３Ａ〜３Ｆに示され且つ本文に記載されるアレイ基板の実施例において、図２Ａ〜２Ｆに示され且つ上述したようなアレイ基板の実施例に比べ、複数のタッチ制御信号線３と複数の第１電極７の間の距離及び／又は複数のタッチ制御信号線３と複数の第２電極８間の距離を大きくすることができる。逆に言えば、この特徴により、さらに、図３Ａ〜３Ｆに示され且つ本文に記載されるようなアレイ基板の実施例において、複数のタッチ制御信号線３の各々の電気抵抗が有る程度まで低減される。
【００９０】
上記の有利な特徴により、有機樹脂層１５による一パッシベーション層の置き換えにより複数のタッチ制御信号線３の各々の電気抵抗を低減することができるため、各第１電極７及び／又はそれに対応する各第２電極８とのその位置関係の観点からは、図２Ａ〜２Ｆに示され且つ上述したようなアレイ基板の実施例のように、（例えば、各タッチ制御信号線３を、対応する第１電極７及び／又は対応する第２電極８が存在する位置に設置しないことにより）各タッチ制御信号線３を特殊な構成とする必要がない。このように、本文に記載される実施例における複数のタッチ制御信号線３の各々の駆動周波数を向上させることができる。
【００９１】
従って、図３Ｅに示すようなアレイ基板の実施例において、複数のタッチ制御信号線３の各々のアレイ基板１の基板１１上における正投影は、対応する第１電極７の基板１１上における正投影及び対応する第２電極８の基板１１上における正投影の両方と重なることができる。
【００９２】
注意すべきことは、本文に記載されるような実施例において、複数のタッチ制御信号線３の各々の電気抵抗をさらに低減するために、図２Ａ〜２Ｆに示され且つ上述したようなアレイ基板の実施例と同様に、複数のタッチ制御信号線３の各々は、各第２電極８及び／又はそれに対応する各第１電極７と特殊な位置関係を有するように構成することができる。
【００９３】
以下、図３Ｂ、図３Ｃ及び図３Ｄを参照して、前記アレイ基板の３つの異なる実施例に係る各タッチ制御信号線３の異なる構成、並びにその対応する第１電極７及び対応する第２電極８との位置関係を詳細に記述する。
【００９４】
図３Ｂに示すようなアレイ基板の第４実施例によれば、複数のタッチ制御信号線３、複数の第１電極７及び複数の第２電極８は、各タッチ制御信号線３が、各タッチ制御信号線３に対応する第１電極７が存在する位置には設置されないが（即ち、各第１電極７は、タッチ制御信号線３に対応する領域で切断される）、各タッチ制御信号線３に対応する第２電極８が存在する位置には依然として設置されるように構成される。
【００９５】
具体的には、図３Ｂに示すようなアレイ基板の第４実施例において、各タッチ制御信号線３の基板１１上における正投影と、対応する第２電極８の基板１１上における正投影は少なくとも部分的に重なるが、各タッチ制御信号線３の基板１１上における正投影は、対応する第１電極７の基板１１上における正投影とは重ならない（より具体的には、図面に示すように、各タッチ制御信号線３の基板１１上における正投影は、基板１１上の対応する第１電極７の隣接する二つの部分の間の隙間Ｇ３内に含まれる）。
【００９６】
図３Ｄに示すようなアレイ基板の第５実施例によれば、複数のタッチ制御信号線３、複数の第１電極７及び複数の第２電極８は、各タッチ制御信号線３が、各タッチ制御信号線３に対応する第２電極８が存在する位置に設置されないが、各タッチ制御信号線３に対応する第１電極７が存在する位置には依然として設置されるように構成される
【００９７】
具体的には、図３Ｄに示すようなアレイ基板の該第５実施例において、各タッチ制御信号線３の基板１１上における正投影と、対応する第１電極７の基板１１上における正投影は少なくとも部分的に重なるが、各タッチ制御信号線３の基板１１上における正投影は、対応する第２電極８の基板１１上における正投影とは重ならない（より具体的には、図面に示すように、各タッチ制御信号線３の基板１１上における正投影は、基板１１上の対応する第２電極８の隣接する二つの部分の間の隙間Ｇ４内に含まれる）。
【００９８】
図３Ｃに示すようなアレイ基板の第６実施例によれば、複数のタッチ制御信号線３、複数の第１電極７及び複数の第２電極８は、各タッチ制御信号線３が、各タッチ制御信号線３に対応する第１電極７が存在する位置に設置されず、さらに各タッチ制御信号線３に対応する第２電極８が存在する位置にも設置されないように構成される。
【００９９】
具体的には、図３Ｃに示すようなアレイ基板の該第６実施例において、各第２電極８の基板１１上における正投影も、各第１電極７の基板１１上における正投影も、対応するタッチ制御信号線３の基板１１上における正投影とは重ならない（より具体的には、図面に示すように、各タッチ制御信号線３の基板１１上における正投影は、基板１１上の対応する第１電極７の隣接する二つの部分の間の隙間Ｇ３及び基板１１上の対応する第２電極８の隣接する二つの部分の間の隙間Ｇ４の両方内に含まれる）。
【０１００】
注意すべきことは、前述のアレイ基板の３つの実施例（即ち、図３Ｂに示す第４実施例、図３Ｄに示す第５実施例及び図３Ｃに示す第６実施例）のうち、第６実施例において、各タッチ制御信号線３は、対応する第１電極７が存在する位置及び対応する第２電極８が存在する位置のどちらにも設置されていないため、第３実施例における複数のタッチ制御信号線３の各々は、電気抵抗が最も低い。
【０１０１】
なお、各タッチ制御信号線３が依然として（図３Ｄに示す第５実施例のように）対応する第１電極７が存在する位置又は（図３Ｂに示す第４実施例の如く）対応する第２電極８が存在する位置に設置されているため、該２つの実施例のいずれか一つにおける複数のタッチ制御信号線３の各々の電気抵抗の低減効果は、第６実施例ほど良くない。
【０１０２】
さらに注意すべきことは、本文に記載されるようなアレイ基板の実施例における他の構造及び部材は、図２Ａ〜２Ｆに示すような実施例と実質的に同一であり、ここではその詳細説明を省略する。
【０１０３】
第２側面において、本開示は、タッチ制御表示パネルを更に提供する。
【０１０４】
図２Ｂ〜図３Ｆに示され且つ上述したようなアレイ基板の実施例のいずれか一つにおいて、タッチ制御表示パネルは、互いに対向するアレイ基板１と、封入基板２とを含む。
【０１０５】
ブラックマトリクス６が、封入基板２のアレイ基板１に対向する側に設置され、且つ複数のタッチ制御信号線３の各々がブラックマトリクス６の開口領域に設置されるように構成される。より具体的には、複数のタッチ制御信号線３の各々の基板１（又は封入基板２）上における正投影は、ブラックマトリクス６の各開口領域の基板１（又は封入基板２）上における正投影内に含まれる。
【０１０６】
本文に記載されるタッチ制御表示パネルにおいて、必要に応じて、ブラックマトリクス６は、複数のゲート線４の各々を完全に覆うように構成され、ブラックマトリクス６の各ワイヤの幅は、複数のゲート線４の各々の幅より大きくなるように構成される。より具体的には、ブラックマトリクス６の基板１（又は封入基板２）上における正投影は、複数のゲート線４の各々の基板１（又は封入基板２）上における正投影を完全に覆う。
【０１０７】
複数のタッチ制御信号線３の各々をサブピクセルユニットの開口領域に構成することにより、複数のタッチ制御信号線３の各々は、ブラックマトリクス６により覆われない。これにより、ブラックマトリクス６の対応する幅を狭めることができるため、ピクセル開口率及びタッチ制御表示パネルの光透過率が向上し、最終的に表示効果の改善につながる。
【０１０８】
第３側面において、本開示は、表示装置を更に提供する。
【０１０９】
前記表示装置は、上記のような実施例のいずれか一つに係るタッチ制御表示パネルを含む。本文における表示装置は、実質的にタッチ制御表示装置である。
【０１１０】
タッチ制御信号線３をサブピクセルユニットの開口領域に構成することにより、タッチ制御信号線３は、ブラックマトリクス６により覆われず、従って、ブラックマトリクス６の対応する幅を狭めることができるため、ピクセル開口率を向上させ、タッチ制御表示パネルの光透過率を向上させ、これに応じて、表示効果が改善される。
【０１１１】
以上、特定の実施例を詳細に記述したが、該記述は、単に例示の目的に用いられるものである。従って、理解すべきことは、明記されていない限り、上記の多様な側面は、必須又は不可欠な要素として意図されるものではない。
【０１１２】
上記に加えて、本開示の利点を有する例示的な実施例の開示された側面の様々な変更及びそれに対応する同等の行為は、本分野における通常の知識を有する者であれば、以下の請求項により定義される本開示の精神及び範囲を逸脱することなく実施することができ、前記請求項の範囲は、このような変更及び同等の構造を含むように、最も広い解釈が与えられるべきである。
【図１Ａ】
2020529640.tif 000003
【図１Ｂ】
2020529640.tif 000004
【図２Ａ】
2020529640.tif 000005
【図２Ｂ】
2020529640.tif 000006
【図２Ｃ】
2020529640.tif 000007
【図２Ｄ】
2020529640.tif 000008
【図２Ｅ】
2020529640.tif 000009
【図２Ｆ】
2020529640.tif 000010
【図３Ａ】
2020529640.tif 000011
【図３Ｂ】
2020529640.tif 000012
【図３Ｃ】
2020529640.tif 000013
【図３Ｄ】
2020529640.tif 000014
【図３Ｅ】
2020529640.tif 000015
【図３Ｆ】
2020529640.tif 000016
【国際調査報告】
2020529640.tif 000017
2020529640.tif 000018